(57)【要約】【課題】キャビティ内へ一定重量の原料ビーズを充填して、肉欠け部のない高品質の発泡成形品を生産することができ、また成形体の含水量を把握することができる原料ビーズの重量測定方法と成形体の含水量測定方法およびその装置を提供する。【解決手段】接離自在な一対の凹凸型1a、1bで形成したキャビティ内に原料ビーズを充填し、それを蒸気で加熱発泡して発泡成形体を成形し、冷却処理後に型開きして発泡成形体を取り出すようにした発泡樹脂成形方法における原料ビーズの重量測定方法であって、前記原料ビーズを原料サイロ3から計量ホッパー5を介してキャビティ内に充填するものとし、原料ビーズをキャビティ内に充填する前の状態の計量ホッパー5の重量と、原料ビーズをキャビティ内に充填した後の状態の計量ホッパー5の重量を測定して、充填前後における計量ホッパー5の重量差からキャビティ内に充填した原料ビーズの重量を算出する。【選択図】図１
2019193987.tif 000002
【特許請求の範囲】
【請求項１】
接離自在な一対の凹凸型で形成したキャビティ内に原料ビーズを充填し、それを蒸気で加熱発泡して発泡成形体を成形し、冷却処理後に型開きして発泡成形体を取り出すようにした発泡樹脂成形方法における原料ビーズの重量測定方法であって、
前記原料ビーズを原料サイロから計量ホッパーを介してキャビティ内に充填するものとし、
原料ビーズをキャビティ内に充填する前の状態の計量ホッパーの重量と、原料ビーズをキャビティ内に充填した後の状態の計量ホッパーの重量を測定して、
充填前後における計量ホッパーの重量差からキャビティ内に充填した原料ビーズの重量を算出することを特徴とする原料ビーズの重量測定方法。
【請求項２】
ロードセルにより計量ホッパーの重量を測定する請求項１に記載の原料ビーズの重量測定方法。
【請求項３】
キャビティ内圧力を大気圧以上の圧力に設定するとともに、原料サイロおよび計量ホッパー内を前記キャビティ内圧力プラス０．５kg/cm2未満の範囲に加圧して、その差圧によって原料ビーズを原料サイロからキャビティ内に送入・充填する請求項１または２に記載の原料ビーズの重量測定方法。
【請求項４】
または、キャビティ内圧力を大気圧からマイナス０．５kg/cm2までの範囲に減圧設定するとともに、原料サイロおよび計量ホッパー内を大気圧以上の圧力として、その差圧によって原料ビーズを原料サイロからキャビティ内に送入・充填する請求項１または２に記載の原料ビーズの重量測定方法。
【請求項５】
請求項１〜４のいずれかにより測定したキャビティ内に充填した原料ビーズの重量と、成形直後の成形体の重量の差から成形体の含水量を算出することを特徴とする成形体の含水量測定方法。
【請求項６】
接離自在な一対の凹凸型で形成したキャビティ内に原料ビーズを充填し、それを蒸気で加熱発泡して発泡成形体を成形し、冷却処理後に型開きして発泡成形体を取り出すようにした発泡樹脂成形方法における原料ビーズの重量測定装置であって、
前記原料ビーズの原料サイロと発泡成形機との間に計量ホッパーを設け、
この計量ホッパーには、ホッパー全体の重量を測定するロードセルを取り付け、
原料ビーズをキャビティ内に充填する前の状態の計量ホッパーの重量と、原料ビーズを充填した後の状態の計量ホッパーの重量の測定値をもとにキャビティ内に充填した原料ビーズの重量を算出する算出手段を設けたことを特徴とする原料ビーズの重量測定装置。
【発明の詳細な説明】
【技術分野】
【０００１】
本発明は、キャビティ内へ一定重量の原料ビーズを充填して、肉欠け部のない高品質の発泡成形品を生産することができ、また成形体の含水量を把握することができる原料ビーズの重量測定方法と成形体の含水量測定方法およびその装置に関するものである。
【背景技術】
【０００２】
従来から、ポリスチレン樹脂やポリエチレン樹脂等の発泡ビーズ原料から成形した発泡成形品は断熱性容器、建築用断熱材、建設用型材等に広く使用されている。このような発泡成形品の成形方法としては、例えば特許文献１に示されるように、接離自在な一対の凹凸型で形成したキャビティ内に原料ビーズを充填し、それを蒸気で加熱発泡して発泡成形体を成形し、冷却処理後に型開きして発泡成形体を取り出すようにした方法が一般的である。
【０００３】
また、キャビティ内への原料ビーズの充填としては、原料サイロから発泡材料を計量することなく、 それをエアとともにキャビティ内へ送り込む方式が一般的である。しかしながら、従来の充填方式では、原料ビーズの粒度や成形時の温度・湿度や原料ビーズに加える圧力等の条件によって発泡成形体の充填量または融着度による含水量が変動する場合があった。この結果、成形品の重量にバラツキが生じ規格範囲を外れた重量の成形品や、融着度のバラツキのある成形品が生産される場合があるという問題や、原料不足により上隅部が欠けた形状の不良品を発生する場合があるという問題があった。
【０００４】
一方、特許文献２に示されるように、重量バラツキの少ない樹脂発泡成形体の製造方法が提案されている。しかし、この特許文献２に記載の方法では、原料ビーズの見掛密度を測定し、この結果に基づき金型のクラッキング幅を調節することにより、原料ビーズの充填重量を一定にする方法であるため、調整方法が複雑であり、また調整に長時間かかるという問題点があった。
更には、出願人は成形後の成形体の正確な含水重量を把握して、常に一定含水量の成形品を得るようにすれば成形品の融着度等を一定値以上に管理できることに着目し、成形条件をコントロールする技術の構築を進めているが、含水重量を把握するには前提として原料ビーズの充填重量を正確に測定する必要があり、その技術の開発が要求されていた。
【先行技術文献】
【特許文献】
【０００５】
【特許文献１】特許第４０９０１０５号公報
【特許文献２】特開平３−１６６９２３号公報
【発明の概要】
【発明が解決しようとする課題】
【０００６】
本発明は上記のような従来の問題点を解決して、キャビティ内へ充填する原料ビーズの重量を簡単かつ正確に測定可能で、常に一定重量の原料ビーズを充填することができ、その結果、原料不足による肉欠け部のない高品質な発泡成形品を容易に生産可能とし、また、成形後の成形体の正確な含水重量を把握することで、常に一定含水量の成形品を得るように成形コントロールすることを可能にする原料ビーズの重量測定方法と成形体の含水量測定方法およびその装置を提供することを目的とするものである。
【課題を解決するための手段】
【０００７】
上記課題を解決するためになされた本発明の原料ビーズの重量測定方法は、接離自在な一対の凹凸型で形成したキャビティ内に原料ビーズを充填し、それを蒸気で加熱発泡して発泡成形体を成形し、冷却処理後に型開きして発泡成形体を取り出すようにした発泡樹脂成形方法における原料ビーズの重量測定方法であって、
前記原料ビーズを原料サイロから計量ホッパーを介してキャビティ内に充填するものとし、
原料ビーズをキャビティ内に充填する前の状態の計量ホッパーの重量と、原料ビーズをキャビティ内に充填した後の状態の計量ホッパーの重量を測定して、
充填前後における計量ホッパーの重量差からキャビティ内に充填した原料ビーズの重量を算出することを特徴とするものであり、これを請求項１に係る発明とする。
【０００８】
好ましい実施形態によれば、ロードセルにより計量ホッパーの重量を測定するのが好ましく、これを請求項２に係る発明とする。
【０００９】
また、その他の好ましい実施形態によれば、キャビティ内圧力を大気圧以上の圧力に設定するとともに、原料サイロおよび計量ホッパー内を前記キャビティ内圧力プラス０．５kg/cm2未満の範囲に加圧して、その差圧によって原料ビーズを原料サイロからキャビティ内に送入・充填するのが好ましく、これを請求項３に係る発明とする。
【００１０】
また、その他の好ましい実施形態によれば、キャビティ内圧力を大気圧からマイナス０．５kg/cm2までの範囲に減圧設定するとともに、原料サイロおよび計量ホッパー内を大気圧以上の圧力として、その差圧によって原料ビーズを原料サイロからキャビティ内に送入・充填するのが好ましく、これを請求項３に係る発明とする。
【００１１】
また、上記課題を解決するためになされた本発明の成形体の含水量測定方法は、前記請求項１〜４のいずれかにより測定したキャビティ内に充填した原料ビーズの重量と、成形直後の成形体の重量の差から成形体の含水量を算出するのが好ましく、これを請求項５に係る発明とする。
【００１２】
また、上記課題を解決するためになされた本発明の原料ビーズの重量測定装置は、接離自在な一対の凹凸型で形成したキャビティ内に原料ビーズを充填し、それを蒸気で加熱発泡して発泡成形体を成形し、冷却処理後に型開きして発泡成形体を取り出すようにした発泡樹脂成形方法における原料ビーズの重量測定装置であって、
前記原料ビーズの原料サイロと発泡成形機との間に計量ホッパーを設け、
この計量ホッパーには、ホッパー全体の重量を測定するロードセルを取り付け、
原料ビーズをキャビティ内に充填する前の状態の計量ホッパーの重量と、原料ビーズを充填した後の状態の計量ホッパーの重量の測定値をもとにキャビティ内に充填した原料ビーズの重量を算出する算出手段を設けたことを特徴とするものが好ましく、これを請求項６に係る発明とする。
【発明の効果】
【００１３】
請求項１に係る発明では、原料ビーズを原料サイロから計量ホッパーを介してキャビティ内に充填するものとし、原料ビーズをキャビティ内に充填する前の状態の計量ホッパーの重量と、原料ビーズをキャビティ内に充填した後の状態の計量ホッパーの重量を測定して、充填前後における計量ホッパーの重量差からキャビティ内に充填した原料ビーズの重量を算出するようにしたので、原料充填前後の計量ホッパーの重量差から充填した原料ビーズの正確な重量を把握し、原料不足による上隅部が欠けた不良品の発生を確実に防止することができる。
【００１４】
また、請求項２に係る発明では、ロードセルにより計量ホッパーの重量を測定するようにしたので、原料ビーズの正確な重量を把握することができる。
【００１５】
また、請求項３に係る発明では、キャビティ内圧力を大気圧以上の圧力に設定するとともに、原料サイロおよび計量ホッパー内を前記キャビティ内圧力プラス０．５kg/cm2未満の範囲に加圧して、その差圧によって原料ビーズを原料サイロからキャビティ内に送入・充填するようにしたので、原料ビーズをキャビティ内に正確かつ円滑に送入・充填することができる。
【００１６】
また、請求項４に係る発明では、キャビティ内圧力を大気圧からマイナス０．５kg/cm2までの範囲に減圧設定するとともに、原料サイロおよび計量ホッパー内を大気圧以上の圧力として、その差圧によって原料ビーズを原料サイロからキャビティ内に送入・充填するようにしたので、原料ビーズをキャビティ内に正確かつ円滑に送入・充填することができる。
【００１７】
また、請求項５に係る発明では、前記請求項１〜４のいずれかにより測定したキャビティ内に充填した原料ビーズの重量と、成形直後の成形体の重量の差から成形体の含水量を算出するようにしたので、成形後の成形体の正確な含水重量を把握することで、常に一定含水量の成形品を得るように成形コントロールすることができる。
【００１８】
また、請求項６に係る発明では、原料ビーズの原料サイロと発泡成形機との間に計量ホッパーを設け、この計量ホッパーには、ホッパー全体の重量を測定するロードセルを取り付け、原料ビーズをキャビティ内に充填する前の状態の計量ホッパーの重量と、原料ビーズを充填した後の状態の計量ホッパーの重量の測定値をもとにキャビティ内に充填した原料ビーズの重量を算出する算出手段を設けたものとしたので、原料充填前後の計量ホッパーの重量差から充填した原料ビーズの重量を正確かつ迅速に算出することができる。また、ロードセルを取り付けるだけであり、装置が複雑化することなくコスト的にも安価である。
【図面の簡単な説明】
【００１９】
【図１】本発明の実施の形態を示す発泡樹脂成形装置の概略図である。
【発明を実施するための形態】
【００２０】
以下に、図面を参照しつつ本発明の好ましい実施の形態を示す。
図１は、本発明を実施するための発泡樹脂成形機の一例を示すものであり、図において、１は接離自在な一対の凹型１ａと凸型１ｂを有する発泡樹脂成形機、２は原料ビーズの充填器、３は原料サイロ、４は原料ビーズをキャビティ内へ送入するための空気流をつくるブロアーである。
【００２１】
上記の構成は、従来の発泡樹脂成形機の構成と基本的に同じであり、前記の凹凸型１ａ、１ｂで形成したキャビティ内に原料ビーズを充填し、それを蒸気で加熱発泡して発泡成形体を成形し、冷却処理後に型開きして発泡成形体２０を取り出す工程を有する。
【００２２】
前記原料ビーズの原料サイロ３と発泡成形機１との間には計量ホッパー５が設けられている。この計量ホッパー５は、原料ビーズをキャビティ内に充填する前の状態の計量ホッパーの重量と、原料ビーズをキャビティ内に充填した後の状態の計量ホッパーの重量を測定し、充填前後における計量ホッパーの重量差からキャビティ内に充填した原料ビーズの重量を算出するためのものである。
【００２３】
図示のものでは、計量ホッパー５は、１本当たりの容量が約１．５ｍ３のものを３本組み合わせた構造となっているが、容量や本数については成形する品種に応じて任意のものとできることは勿論である。また、前記原料サイロ３は、示のものでは１本当たりの容量が約５〜１０ｍ３のものを３本組み合わせた構造となっているが、容量や本数については成形する品種に応じて任意のものとすることができる。
【００２４】
前記計量ホッパー５には、ホッパー全体の重量を測定するロードセル７が取り付けられている。このロードセル６は、荷重変換器とも称され、荷重を電気信号に変換する装置であり、バネ式や圧電素子式や磁歪式ロードセル、ジャイロ式ロードセル、歪ゲージ式ロードセル等のいずれも使用することができる。
図示のものでは、３本の計量ホッパー５を支持する下部枠体の四隅にロードセル６が取り付けられており、３本の計量ホッパー全体の重量を測定する構造となっているが、ロードセル６の設置個数や設置位置については任意に設計することができる。
【００２５】
前記ロードセル６は、算出手段７に連結されており前記計量ホッパー５の重量変化を算出できるよう構成されている。即ち、本発明では、原料ビーズをキャビティ内に充填する前の状態の計量ホッパーの重量と、原料ビーズを充填した後の状態の計量ホッパーの重量の測定値をもとにして、キャビティ内に充填した原料ビーズの重量を正確に算出するよう構成されている。
【００２６】
従来、キャビティ内への原料ビーズの充填量については、原料サイロから発泡材料を計量することなく、キャビティ内へ送り込むのが一般的であり、重量の測定は行われておらず、成形品の重量にバラツキが生じ規格範囲を外れた重量の成形品が生産されるという問題や、原料不足により上隅部が欠けた形状の不良品を発生するという問題があった。
これに対し本発明では、充填した原料ビーズの重量を算出するようにしたので、充填した原料ビーズの正確な重量を把握し、常に正確な重量の原料ビーズを供給することから、原料不足による上隅部が欠けた不良品の発生を防止することができることとなる。
【００２７】
次に、図１に示す装置を用いて発泡成形体を成形する方法について説明する。
原料サイロ３から原料ビーズを一対の凹凸型１ａ、１ｂで形成したキャビティ内に充填し、それを蒸気で加熱発泡して発泡成形体を成形し、冷却処理後に型開きして発泡成形体２０を取り出す点は、従来の発泡樹脂成形方法と基本的に同じである。
なお、成形直後の発泡成形体２０は、定期的あるいはランダムに抜き取られて、計量計８により重量の測定が行われ、所定範囲内の重量を有しているか否かのチェックが行われることとなる。
【００２８】
本発明では、原料ビーズの原料サイロ３と発泡成形機１との間に計量ホッパー５が設けられており、前記原料ビーズは原料サイロ３から計量ホッパー５を介してキャビティ内に充填される。また、前記計量ホッパー５には、ホッパー全体の重量を測定するロードセル７が取り付けられていて、原料ビーズをキャビティ内に充填する前の状態の計量ホッパーの重量と、原料ビーズをキャビティ内に充填した後の状態の計量ホッパーの重量が測定される。
【００２９】
前記ロードセル７で測定した電気信号は算出手段７に送られ、この算出手段７によって充填前後における計量ホッパーの重量差からキャビティ内に充填した原料ビーズの重量が正確に算出されることとなる。算出した原料ビーズの重量が、予め設定されている所定の重量範囲内にない場合は、原料ビーズの充填量を増減するようにフィドバック制御がなされ自動的に最適重量の原料ビーズを投入するように制御することができる。
【００３０】
また、前記原料ビーズをキャビティ内に供給するに際して、キャビティ内圧力を大気圧以上の圧力に設定するとともに、原料サイロおよび計量ホッパー内を前記キャビティ内圧力プラス０．５kg/cm2未満の範囲に加圧して、その差圧によって原料ビーズを原料サイロからキャビティ内に送入・充填することが好ましい。この条件を満たすように圧力調整することで、原料ビーズをキャビティ内にスムースかつ短時間で充填することができ、成形効率を向上させることができる。
【００３１】
また、キャビティ内圧力を大気圧からマイナス０．５kg/cm2までの範囲に減圧設定するとともに、原料サイロおよび計量ホッパー内を大気圧以上の圧力として、その差圧によって原料ビーズを原料サイロからキャビティ内に送入・充填することも好ましく、この場合も原料ビーズをキャビティ内にスムースかつ短時間で充填することができ、成形効率を向上させることができる。
以上のように、圧力の設定を所定の範囲に設定するだけでなく、充填器の復動操作によって原料ビーズをキャビティ内に効率よく充填することもできる。
【００３２】
以上のようにして測定したキャビティ内に充填した原料ビーズの重量と、成形直後の成形体の重量の差から成形体の含水量を正確に算出することが可能となる。
従来は、充填した原料ビーズを体積で管理していて正確な重量がわからなかったため、成形後の成形体の正確な含水重量は把握できなかった。しかし、本発明では原料ビーズの充填重量を正確に測定することから、成形後の成形体の正確な含水重量を算出可能とした。即ち、充填した原料ビーズの重量と、成形直後の成形体の重量の差から成形サイクル中に成形体に付着等した含水重量を正確に算出するのである。
このようにして含水重量を算出した後は、例えば、蒸気圧力と加熱時間等のパラメータを制御することにより、含水量を一定に保ち成形品の融着度を一定以上に維持することができるという効果を発揮する。
例えば、含水量を一定に保つ操作として、含水量が多い場合は、加熱工程での蒸気の供給量を増やすようにパラメータ操作を行い、逆に、含水量が少ない場合は、加熱工程での蒸気の供給量を減らすようにパラメータ操作を行うことで含水量を一定に保つことが可能となる。
【００３３】
以上の説明からも明らかなように、本発明は原料ビーズをキャビティ内に充填する前後における計量ホッパーの重量差を測定することにより、キャビティ内に充填した原料ビーズの重量を正確に算出できるようにしたので、従来の原料ビーズの容量管理と異なり、重量のバラツキのない所定重量の発泡成形品を安定して生産することが可能となる。また、原料不足による肉欠け部の発生を防止して高品質な発泡成形品を生産することが可能となる。更には、キャビティ内に充填した原料ビーズの重量を正確に算出できることから、成形直後の発泡成形品の重量を測定すれば製品の含水量を求めることもでき、含水率の管理に応用することや、加熱条件および含水率等から発泡成形品の融着度管理などにも発展させることができる。
【符号の説明】
【００３４】
１  発泡樹脂成形機
１ａ  凹型  
１ｂ  凸型
２  充填器
３  原料サイロ
４  ブロアー
５  計量ホッパー
６  ロードセル
７  算出手段
８  計量計
２０  発泡成形体
【図１】
2019193987.tif 000003